(57)【要約】【課題】操作部がタッチパネル式であって、電源スイッチが偶発的にオンするという不安全状態を発生させない、電気ストーブを提供する。【解決手段】電気ストーブ１０では、操作部２６のパワー調節ダイヤル８９の［切］位置に指を接触させて、その指を時計方向（矢印方向）に滑らせてカーソルを移動させなければ、ヒータ２１への電源供給が開始されない。したがって、ヒータ２１への電源供給が偶発的にオンとなることがなく、安全である。【選択図】図４
2015059706.tif 000002
【特許請求の範囲】
【請求項１】
加熱ヒータ（２１）と、
前記加熱ヒータ（２１）への電源供給をオン・オフするための操作部（２６）と、
を備え、
前記操作部（２６）はタッチパネル式であって、
前記電源供給をオンする操作が、長押し操作、スライドタッチ操作、又は２箇所以上の同時タッチ操作である、
電気ストーブ（１０）。
【請求項２】
前記電源供給をオフする操作は、ワンタッチ操作である、
請求項１に記載の電気ストーブ（１０）。
【請求項３】
前記操作部（２６）は、前記電源供給をオン・オフする機能だけでなく、他の機能をオン・オフする機能も有し、
前記他の機能をオン・オフする操作が、ワンタッチ操作である、
請求項１に記載の電気ストーブ（１０）。
【請求項４】
前記加熱ヒータ（２１）の熱を前方に反射する反射板（２２）をさらに備える、
請求項１に記載の電気ストーブ（１０）。
【発明の詳細な説明】
【技術分野】
【０００１】
本発明は、電気ストーブ、特に、操作部がタッチパネル式の電気ストーブに関する。
【背景技術】
【０００２】
近年、操作部に出力調整ツマミが設けられている電気ストーブが広く普及している。例えば、特許文献１（特開２００８−１３３９７１号公報）に開示されている電気ストーブでは、ヒータ本体の上面に操作部が設けられ、その操作部はシーズヒータの出力を調整するための出力調整部を有している。シーズヒータには、電源がオンのときに出力調整部で設定された電力値に応じた電力が供給される。
【０００３】
このような電気ストーブにおいて、操作性という観点から操作部を使い勝手の良いタッチパネル式とすることも可能であり、例えば、製品分野は異なるが特許文献２（特開２００６−７９４７４号公報）の段落［００４６］、［００５３］及び図２に開示されている扇風機の操作部が参考になる。その操作部としてのタッチパネル式入力装置には、停止ボタン、運転ボタン、指定つまみが設けられている。
【発明の概要】
【発明が解決しようとする課題】
【０００４】
しかしながら、電気ストーブの操作部にタッチパネルを適用した場合、電源スイッチの位置に物が落下して、偶発的に電源スイッチがオンとなり、使用者の監視がとどかないところでヒータが発熱するという不安全状態が発生する虞がある。
【０００５】
本発明の課題は、操作部がタッチパネル式であって、電源スイッチが偶発的にオンするという不安全状態を発生させない、電気ストーブを提供することにある。
【課題を解決するための手段】
【０００６】
本発明の第１観点に係る電気ストーブは、加熱ヒータと、その加熱ヒータへの電源供給をオン・オフするための操作部とを備えている。操作部はタッチパネル式である。そして、電源供給をオンする操作が、長押し操作、スライドタッチ操作、又は２箇所以上の同時タッチ操作である。
【０００７】
例えば、加熱ヒータへの電源供給を機械的な押しボタン式スイッチでオン・オフ操作する場合、上方からの落下物等により偶発的にオンして不安全な状態になる虞がある。
【０００８】
しかし、この電気ストーブでは、操作部をタッチパネル式にして、電源供給をオンする操作を、長押し操作、スライドタッチ操作、又は２箇所以上の同時タッチ操作とすることによって、電源供給が偶発的にオンとなる事態を回避している。
【０００９】
本発明の第２観点に係る電気ストーブは、第１観点に係る電気ストーブであって、電源供給をオフする操作はワンタッチ操作である。
【００１０】
この電気ストーブでは、電源供給をオフする操作は機器を安全状態にする操作であり、緊急避難時等では簡単操作で且つ即効性が求められるので、ワンタッチ操作が適切である。
【００１１】
また、ワンタッチ操作にすることによって上方からの落下物等により偶発的にオフするようなことがあるが、機器自体は安全側に働くので問題はない。
【００１２】
本発明の第３観点に係る電気ストーブは、第１観点に係る電気ストーブであって、操作部が、電源供給をオン・オフする機能だけでなく、他の機能をオン・オフする機能も有している。そして当該他の機能をオン・オフする操作が、ワンタッチ操作である。
【００１３】
この電気ストーブでは、例えば、電源供給をオンする操作やチャイルドロックの解除操作以外の操作であって、容易にオンしたり解除されたりしても支障がない機能の操作については、ワンタッチ操作を採用することによって使い勝手がよくなる。
【００１４】
本発明の第４観点に係る電気ストーブは、第１観点に係る電気ストーブであって、加熱ヒータの熱を前方に反射する反射板をさらに備えている。
【００１５】
一般に、反射板を使用する電気ストーブは、その反射板に対向する部分を暖めるので、被加熱部分に近づけて使用されることが多い。そのため、電気ストーブが上方からの落下物等により偶発的にオンして不安全な状態になる可能性を排除しておく必要がある。
【００１６】
この電気ストーブでは、操作部をタッチパネル式にして、電源供給をオンする操作を、長押し操作、スライドタッチ操作、又は２箇所以上の同時タッチ操作とすることによって、電源供給が偶発的にオンとなる事態を排除することができる。
【発明の効果】
【００１７】
本発明の第１観点に係る電気ストーブでは、操作部をタッチパネル式にして、電源供給をオンする操作を、長押し操作、スライドタッチ操作、又は２箇所以上の同時タッチ操作とすることによって、電源供給が偶発的にオンとなる事態を回避している。
【００１８】
本発明の第２観点に係る電気ストーブでは、電源供給をオフする操作は機器を安全状態にする操作であり、緊急避難時等では簡単操作で且つ即効性が求められるので、ワンタッチ操作が適切である。
【００１９】
また、ワンタッチ操作にすることによって上方からの落下物等により偶発的にオフするようなことがあるが、機器自体は安全側に働くので問題はない。
【００２０】
本発明の第３観点に係る電気ストーブでは、電源供給をオンする操作やチャイルドロックの解除操作以外の操作であって、容易にオンしたり解除されたりしても支障がない機能の操作については、ワンタッチ操作を採用することによって使い勝手がよくなる。
【００２１】
本発明の第４観点に係る電気ストーブでは、操作部をタッチパネル式にして、電源供給をオンする操作を、長押し操作、スライドタッチ操作、又は２箇所以上の同時タッチ操作とすることによって、電源供給が偶発的にオンとなる事態を排除することができる。
【図面の簡単な説明】
【００２２】
【図１】本発明の一実施形態に係る電気ストーブの正面側の斜視図。
【図２】図１の電気ストーブの背面側斜視図。
【図３】操作部の断面図。
【図４】電気ストーブに搭載されている操作部の一形態の平面図。
【図５】電気ストーブに搭載されている操作部の他の形態の平面図。
【発明を実施するための形態】
【００２３】
以下図面を参照しながら、本発明の実施形態について説明する。なお、以下の実施形態は、本発明の具体例であって、本発明の技術的範囲を限定するものではない。
【００２４】
（１）全体構成
図１は、本発明の一実施形態に係る電気ストーブ１０の正面側の斜視図である。また、図２は電気ストーブ１０の背面側の斜視図である。
【００２５】
図１及び図２において、電気ストーブ１０は、本体部２０と、本体部２０とは別体に設けられているベース部３０とを備えている。ベース部３０は、床面に設置される。本体部２０は、ベース部３０によって回動可能に支持されている。本体部２０は、ヒータ２１と反射板２２とを有している。
【００２６】
電気ストーブ１０は、首振り機能を備えており、床面に対して本体部２０が床面と平行な方向に回動して、ヒータ２１及び反射板２２から出る熱の放射方向を変化させることができる。
【００２７】
（２）詳細構成
（２−１）ベース部３０
ベース部３０は、台座３１と支柱３２とを有している。台座３１は、箱形の形状を成し、床面に設置される。台座３１の背面側には電源コード３３が伸縮可能に収納されている。
【００２８】
支柱３２は、台座３１の上面３１ａから上方に延びる柱状の部材であり、その下部が回動可能に台座３１に取り付けられている。支柱３２の上部の前面側と本体部２０の背面側とがブラケット２３を介して連結されている。
【００２９】
支柱３２は、下部に比べて上部の前面側が背面側に後退した形状を持っている。そして、支柱３２の前面側に本体部２０が取り付けられることで、支柱３２と本体部２０とを合わせた部材の重心がちょうど台座３１に位置するように構成されている。このような構成によって、電気ストーブ１０が安定して直立することが可能になっている。
【００３０】
（２−２）本体部２０
本体部２０は、ヒータ２１、反射板２２及びブラケット２３以外に、本体ケーシング２４、及びガード２５を有している。
【００３１】
本体ケーシング２４は、ヒータ２１と反射板２２とを内部に収納している。本体ケーシング２４の背面側には、本体ケーシング２４内の熱を外部に放出するために多数の開口部２４ｂが形成されている。ガード２５は、多数の細い金属棒を組み合わせてできており、本体ケーシング２４の前面側に装着されている。
【００３２】
熱は、ガード２５の金属棒の隙間を透して前面側に向けて放射され。本体部２０は、反射板２２の方向を上に傾けたり、下に傾けたりするために、ブラケット２３を介して支柱３２の延びる方向に対して角度を変更することができる。
【００３３】
本体ケーシング２４の天面枠２４ａの内側には、保護フィルム８８が設けられている。この保護フィルム８８の下方にタッチパネル式の操作部２６が配置されている。
【００３４】
（２−３）操作部２６
この電気ストーブ１０では、反射板２２に対向する部分を暖めるので、被加熱部分に近づけて使用されることが多い。そのため、電気ストーブ１０が上方からの落下物等により偶発的にオンして不安全な状態になる可能性を排除しておく必要がある。
【００３５】
具体的には、操作部２６をタッチパネル式にして、電源供給をオンする操作を、長押し操作、又はスライドタッチ操作とすることによって、電源供給が偶発的にオンとなる事態を排除する。タッチパネルの構成については多数の文献で紹介されているので、ここでは概略構成のみを説明する。
【００３６】
図３は、操作部２６の断面図である。図３において、操作部２６は、透明圧電シート２６０と、フレーム２７０と、絶縁層２８０と、タッチ位置検出用タッチパネル２９０とを含んでいる。
【００３７】
透明圧電シート２６０は、透明圧電体膜２６２と、第１透明平板電極２６４と、第２透明平板電極２６６とから構成されている。
【００３８】
タッチ位置検出用タッチパネル２９０は、透明圧電シート２６０のタッチ側とは反対側の面に、絶縁層２８０を介して透明圧電シート２６０に接触するように配置されている。タッチ位置検出用タッチパネル２９０としては、抵抗膜式、静電容量式、超音波式、および光学式等の任意の形式のタッチ位置検出用タッチパネルを用いることができる。
【００３９】
透明圧電シート２６０を押すことによって生じた電気信号は、電線を通じてコントローラ３００に伝わり、押圧が検出される。
【００４０】
透明圧電シート２６０が押されているとき、タッチ位置検出用タッチパネル２９０も同時に絶縁層２８０を介してタッチの圧力を受ける。これによってタッチ位置もまた電気信号としてコントローラ３００に伝わり、タッチ位置が検出される。
【００４１】
フレーム２７０は、透明圧電シート２６０およびタッチ位置検出用タッチパネル２９０の周縁部を額縁状に覆っている。
【００４２】
上記の通り、操作部２６は、透明圧電シート２６０とタッチ位置検出用タッチパネル２９０とを組み合わせることによって、タッチ圧とタッチ位置の双方を検出することができる。
【００４３】
（３）操作
図４は、電気ストーブ１０に搭載されている操作部２６の一形態の平面図である。図４において、操作部２６の表面には、タッチ式のパワー調節ダイヤル８９、首振りスイッチ９０、及び切タイマースイッチ９１が表示されている。
【００４４】
パワー調節ダイヤル８９は、操作部２６の中央に設けられており、円弧帯状のカーソル移動域に［切］、［１］〜［１０］の番号が表示されている。ユーザーがパワー調節ダイヤル８９の［切］位置に指を接触させて、その指を時計方向（矢印方向）に滑らせると、パワー調節ダイヤル８９の円弧帯状の枠に沿ってカーソルが移動する。
【００４５】
例えば、ユーザーが適当な番号位置、例えば［５］位置で指を離すと、パワー調節ダイヤル８９の［１］から［５］位置までの範囲が円弧帯状にハイライトする。もちろん、［５］の位置のみをハイライトさせてもよい。
【００４６】
コントローラ３００は、透明圧電シート２６０が押されることによって生じた電気信号及び、タッチ位置検出用タッチパネル２９０が押されることによって生じた電気信号に基づき、人の指で［５］の位置まで押されたことを認識して電源をオンするとともに、［５］の位置に応じたヒータ出力が得られるように、ヒータ２１への通電制御を行う。
【００４７】
上記のような操作で電源がオンされるようにしたことによって、物が操作部２６の上面に落下して、偶発的に電源スイッチがオンとなり、使用者の監視がとどかないところでヒータが発熱するという不安全状態が防止される。
【００４８】
なお、この操作部２６では、タッチ圧とタッチ位置の双方を検出することができるので、コントローラ３００がタッチ圧、タッチ範囲又はその組み合わせを記憶することによって、人によるタッチであるか否かを判定することもできるようにすることが可能である。
【００４９】
次に、ユーザーがヒータ２１への電源供給を停止したいときは、ユーザーはパワー調節ダイヤル８９の［切］位置をワンタッチすることによって、コントローラ３００がヒータ２１への電源供給を停止する。
【００５０】
首振りスイッチ９０は、図４平面視でパワー調節ダイヤル８９の左側に設けられている。電源がオンされた後に、首振りスイッチ９０が押されると、本体部２０は所定の回動範囲内で首振りを行う。
【００５１】
切タイマースイッチ９１は、図４平面視でパワー調節ダイヤル８９の右側に設けられている。電源がオンされた後に、切タイマースイッチ９１を一回押すごとに数字［０．５］、［１］、［２］、［４］及び［５］の下側が順に点燈する。例えば、［２］の下側を点燈させたときは、コントローラ３００は、２時間後にヒータ２１への電源供給を停止することとなる。
【００５２】
（４）特徴
（４−１）
電気ストーブ１０では、操作部２６のパワー調節ダイヤル８９の［切］位置に指を接触させて、その指を時計方向（図４の矢印方向）に滑らせてカーソルを移動させなければ、ヒータ２１への電源供給が開始されないので、ヒータ２１への電源供給が偶発的にオンとなることがなく、安全である。
【００５３】
（４−２）
また、ユーザーがヒータ２１への電源供給を停止したいときは、パワー調節ダイヤル８９の［切］位置をワンタッチするだけで、ヒータ２１への電源供給が停止する。つまり、電源供給をオフする操作は電気ストーブ１０を安全状態にする操作であり、緊急避難時等では簡単操作で且つ即効性が求められるので、このようなワンタッチ操作が適切である。さらに、ワンタッチ操作にすることによって上方からの落下物等により偶発的にオフするようなことがあるが、機器自体は安全側に働くので問題はない。
【００５４】
（５）変形例
上記実施形態では、操作部２６のパワー調節ダイヤル８９の［切］位置に指を接触させて、その指を時計方向（矢印方向）に滑らせてカーソルが移動させなければ、ヒータ２１への電源供給が開始されない構成としているが、これに限定されるものではない。
【００５５】
図５は、電気ストーブ１０に搭載されている操作部２６の他の形態の平面図である。図５において、操作部２６の表面には、タッチ式の運転入／切スイッチ９８、パワー調節レバー９９、首振りスイッチ９０、及び切タイマースイッチ９１が表示されている。
【００５６】
なお、タッチ式の運転入／切スイッチ９８、パワー調節レバー９９以外は上記実施形態と同じであるので、ここでは、運転入／切スイッチ９８、及びパワー調節レバー９９についてのみ説明する。
【００５７】
運転入／切スイッチ９８は、図５に表示のとおり２秒以上押されなければオンしない。これは、運転入／切スイッチ９８が表示されている上に物が落下し、又は運転入／切スイッチ９８が表示されている上を動物（猫若しくは犬）が押したような場合に、偶発的にオンしてヒータ２１に電源供給されることを防止する狙いがある。
【００５８】
なお、操作部２６は、透明圧電シート２６０によってタッチ圧を、タッチ位置検出用タッチパネル２９０によってタッチ位置を検出することができるので、コントローラ３００がタッチ圧、タッチ範囲又はその組み合わせを記憶することによって、人によるタッチであるか否かを判定することも可能である。
【００５９】
したがって、運転入／切スイッチ９８が表示されている上に物が放置されて、偶発的に電源オン状態となっても、時間の経過とともに人による入力でないことがコントローラ３００によって判断され、電源供給が自動的に停止されるようにすることもできる。
【００６０】
パワー調節レバー９９は、操作部２６の中央に設けられており、直角三角形状のカーソル移動域の下側に［１］〜［１０］の番号が表示されている。ユーザーがパワー調節レバーの任意の番号位置に指を接触すると、パワー調節レバー９９のカーソル移動領域のうちの指定された番号位置まで三角形状の枠に沿ってカーソルが移動する。
【００６１】
例えば、ユーザーが適当な番号位置、例えば［５］位置で指を離すと、パワー調節レバー９９の［１］から［５］位置までの範囲が三角形状にハイライトする。もちろん、［５］の位置のみ縦棒状にハイライトさせてもよい。
【００６２】
コントローラ３００は、透明圧電シート２６０が押されることによって生じた電気信号及び、タッチ位置検出用タッチパネル２９０が押されることによって生じた電気信号に基づいて人の指で［５］の位置まで押されたことを認識して電源をオンするとともに、［５］の位置に応じたヒータ出力が得られるように、ヒータ２１への通電制御を行う。
【００６３】
（６）その他の構成
（６−１）
電気ストーブ１０では、例えば、電源供給をオンする操作やチャイルドロックの解除操作以外の操作であって、容易にオンしたり解除されたりしても支障がない機能の操作については、ワンタッチ操作を採用することによって使い勝手がよくなる。
【００６４】
（６−２）
上記実施形態又は変形例では、操作部２６をタッチパネル式にして、電源供給をオンする操作を、スライドタッチ操作、又は長押し操作することについて説明した。しかし、それらに限定されるものではなく、２箇所以上の同時タッチ操作とすることによっても、電源供給が偶発的にオンとなる事態を排除することができる。
【符号の説明】
【００６５】
１０  電気ストーブ
２１  ヒータ
２２  反射板
２６  操作部
【先行技術文献】
【特許文献】
【００６６】
【特許文献１】特開２００８−１３３９７１号公報
【特許文献２】特開２００６−  ７９４７４号公報
【図１】
2015059706.tif 000003
【図２】
2015059706.tif 000004
【図３】
2015059706.tif 000005
【図４】
2015059706.tif 000006
【図５】
2015059706.tif 000007